(57)【要約】 【課題】  小型化、省電力化を図ると共に製造コストも削減することができるカードロック機構を備えたＩＣカードリーダライタの提供を目的とする。【解決手段】  ＩＣカードリーダライタのロック機構は、カード１３を手動で挿入し、ある位置までカード１３が挿入されると、スライドリンク６の移動により回転リンク５が回転し、回転リンク５の第１の枝部５ｄの動きをカード挿入検出センサの走査線Ｘで感知し、制御回路によりソレノイド２に給電を開始して、ソレノイド２がプランジャ３を吸引することで、スライドリンク６、回転リンク５、ロックフック７とをそれぞれ係動させ、ロックフック７の先端部７ａでカード１３の挿入方向と反対側のカード後方端部１３ｂを引っ掛ける第１のロック系統と、回転リンク５の回転によりコンタクトユニット１を第３の枝部５ｃで係止する第２のロック系統によってカードが排出されないようにロックする構造とする。【選択図】  図３
2009176011.tif 000002
【特許請求の範囲】
【請求項１】
ＩＣカードリーダライタであって、少なくともＩＣカードのＩＣチップと電気的に接触するコンタクトユニットと、ＩＣカード排出方向に付勢したばねと、ＩＣカード挿入検出センサと、ソレノイドと、前記ソレノイドに係動するプランジャと、前記プランジャに係動するスライドリンクと、前記スライドリンクに係動する回転リンクと、前記回転リンクに係動するロックフックと、前記ソレノイドへの給電や前記ＩＣカードのデータ処理を制御する制御回路とを備え、前記ＩＣカードが挿入されると、前記コンタクトユニットと前記スライドリンクがカード挿入方向に移動し、前記スライドリンクに係動する前記回転リンクが回転し、前記回転リンクの動きを前記ＩＣカード挿入検出センサが感知して前記制御回路により前記ソレノイドに給電を開始し、前記ソレノイドが前記プランジャを吸引することで、前記スライドリンクと前記回転リンクと前記ロックフックとが互いに係動して前記ロックフックが前記ＩＣカードの端部を係止する第１のロック系統と、前記回転リンクの回転に伴って前記コンタクトユニットを係止する第２のロック系統によって前記ＩＣカードが排出されないようにロックすることを特徴とするＩＣカードリーダライタ。
【請求項２】
前記ソレノイドへの給電は、前記ＩＣカード挿入検出センサが前記回転リンクの動きを感知した時点から前記ＩＣカードのデータ処理が終了した時点まで行われることを特徴とする請求項１記載のＩＣカードリーダライタ。
【請求項３】
前記回転リンクは、第１の枝部、第２の枝部、第３の枝部を有し、前記第１の枝部の動きを前記ＩＣカード挿入検出センサが感知し、前記第２の枝部の動きが前記スライドリンクと前記ロックフックにそれぞれ係動して前記第１のロック系統として作用し、前記第３の枝部の動きが前記コンタクトユニットに係動して前記第２のロック系統として作用することを特徴とする請求項１または２記載のＩＣカードリーダライタ。
【発明の詳細な説明】
【技術分野】
【０００１】
本発明は、ＩＣカードリーダライタに関するもので、自動料金収受システム（ＥＴＣ）用車載器や現金自動預け払い機（ＡＴＭ）等の情報処理装置に使用される接触型ＩＣカードに好適なＩＣカードリーダライタにおけるカードロック機構およびロック解除機構に関するものである。
【背景技術】
【０００２】
現金自動預け払い機（ＡＴＭ）や電子マネー取引処理装置などの情報処理装置に使用されるＩＣカードリーダライタは、各種データが記憶されたＩＣカード（以下、「カード」と呼ぶ）が使用者によって挿入されると、カードのデータを読取りまたは書込みを行う。しかし、データの読み取りまたは書き込み中にカードがＩＣカードリーダライタから故意、または誤動作等により抜き取られると、データ処理が正常に行われず、カードに記憶されているデータが破壊されてしまう恐れがある。そこで、カードのデータ処理中での抜き取り防止を目的として、ＩＣカードリーダライタには、カードがＩＣカードリーダライタに完全に挿入され、データの処理が終了するまではカードが抜き取られないようにロックし、データの処理が終了するとロックを解除するロック機構が備わっている。
【０００３】
従来、上記のロック機構には、データ処理中は利用者がカードを力任せに引っ張ってもロックが解除されないこと、また、情報処理装置に電源が投入されていない状態や停電時は利用者がカードを挿入してもロックしない、または自動的にカードが排出されることが要求されており、これらの要求を共に満足するロック機構を備えたＩＣカードリーダライタの必要性が高まっている。
【０００４】
近年、装置・機器の小型化、省電力化の要求が厳しく、特にＥＴＣ車載器においては薄型化や省電力化に加え、低ノイズ化の要求が一層厳しく、手動やモータによる自動駆動よりも、ソレノイドを用いたＩＣカードリーダライタが多く使用されている。
【０００５】
カードのロック機構には、大きく分けてイジェクトボタンを用いた手動方式、モータやソレノイドを用いた自動方式とがある。
【０００６】
図５は、従来のＩＣカードリーダライタのロック機構を説明する斜視図である。
【０００７】
図５に示すようにＩＣカードリーダライタ５１は、カード５２が挿入されると、カード５２の先端部に押されてプッシュロッド５３がカードの挿入方向（矢印Ａ）へ移動し、この移動に連動してロックフック５４が正回転（矢印Ｃ）してカードが完全に挿入されるとカードをロックする。また、ソレノイド５５を励磁することとスプリング５６の弾性力によってロックレバー５７を右回転させ、このレバーによってカードの挿入方向（矢印Ａ）へ移動したプッシュロッド５３をカードの排出方向（矢印Ｂ）へ移動しないようにロックすることでロックフック５４によるカードのロック状態を維持する。データの処理が終了すると、ソレノイド５５を逆の極性に励磁してロックレバー５７を左回転させ、プッシュロッド５３を解除する。ロックが解除されるとプッシュロッド５３はスプリング５６の弾性力によってカード排出方向（矢印Ｂ）へ移動し、この移動に連動してロックフック５４が逆回転（矢印Ｄ）してカードのロックを解除する。このようなＩＣカードリーダライタは、例えば特許文献１に開示されている。
【０００８】
【特許文献１】特開２０００−２９３６３９号公報
【発明の開示】
【発明が解決しようとする課題】
【０００９】
しかしながら、図５に示した従来のＩＣカードリーダライタ５１では、ロック状態でカード５２を引っ張るとカード５２を引っ張る力がカード５２の挿入方向の後方端部からロックフック５４とプッシュロッド５３とを伝わってプッシュロッド５３とロックレバー５７との接触部分に加わりロックレバー５７にプッシュロッド５３が押し付けられる。このため、カード５２を引っ張った状態でロックを解除しようとしてソレノイド５５を励磁しても、ロックレバー５７はプッシュロッド５３から離れ難く、プッシュロッド５３のロックを解除することが困難になり、カードのロックを解除することも困難になる。
【００１０】
また、上記のＩＣカードリーダライタ５１では、ソレノイド５５を逆の極性に励磁することでプッシュロッド５３のロックを解除して、ロックフック５４によるカード５２のロックを解除するため、給電が断たれるとソレノイド５５を励磁することができず、従ってプッシュロッド５３のロックを解除できず、カードのロックも解除できない。更には、上記の逆極性の励磁、給電が必要なため、省電力化の阻害となっていた。
【００１１】
このように、従来のＩＣカードリーダライタのロック機構では、カードロックおよびロック解除のいずれの場合もソレノイドへの給電を行っており、カードの挿入、データ処理、カード抜き取りの全工程の間、常時ソレノイドへの給電が必要で、消費電力が大きくなり省電力化の阻害となっていた。
【００１２】
本発明は、上述の課題を解決し、小型化、省電力化を図ると共に製造コストも削減することができるカードロック機構を備えたＩＣカードリーダライタの提供を目的とする。
【課題を解決するための手段】
【００１３】
本発明はこれらの課題を解決するため、ＩＣカードリーダライタのロック機構は、少なくとも、カードのＩＣチップと接触するコンタクトユニットと、カード排出方向に付勢したばねと、カード挿入検出センサと、カード挿入と同時に移動するスライドリンクと、前記スライドリンクと係動する回転リンクと、ソレノイド及びプランジャと、前記ソレノイドへの給電やカードのデータ処理を制御する制御回路と、カードをロックするロックフックを備え、カードを手動で挿入し、ある位置までカードが挿入されると、前記スライドリンクの移動により前記回転リンクが回転し、その回転の動きを前記カード挿入検出センサが感知し、前記制御回路によりソレノイドに給電を開始して、ソレノイドがプランジャを吸引することで、前記スライドリンク、前記回転リンク、前記ロックフックとをそれぞれ係動させ、前記ロックフックの先端部でカードの挿入方向の後方端部を引っ掛ける第１のロック系統と、前記回転リンクの回転により前記コンタクトユニットを係止する第２のロック系統によってカードが排出されないようにロックし、このロック状態でデータの処理を行う。
【００１４】
データの処理が終了すると、前記制御回路によりソレノイドへの給電を停止し、ソレノイドのプランジャが開放されるので、カード排出方向に付勢したプランジャ用ばねによりスライドリンクはカード排出方向に移動し、回転リンクを反対方向に回転させ、ロックフックが上方に移動してロックを解除する前記第１のロック系統の解除と、前記回転リンクが反対方向へ回転することで係止していたコンタクトユニットのロックを外す前記第２のロック系統の解除とによって、付勢ばねによりカード排出方向に移動してカードのＩＣチップから離れて、自動的に排出される構造とする。
【００１５】
すなわち、カード排出方向に付勢されたばねに抗して手動でカードを挿入し、カードが完全挿入した時に初めて、カードをロックするためにソレノイドに給電を開始し、このロック状態でデータ処理が開始され、データ処理が終了するとソレノイドへの給電を停止してロックを解除して、前記カード排出方向に付勢されたばねの弾性力によりカードを機械的に自動排出する。このように構成すると、ロックフックはカード近傍まで移動、接近するので、ソレノイドに給電して完全にロックする際のロックフックの動作量はカード厚より少し大きい２ｍｍ前後程度の微少量となるため、前記ロックフックを動かすソレノイドのプランジャの変位量（ストローク）も約１ｍｍ程度の微少量でよい。
【００１６】
従って、ロックの始動時は、ソレノイドのプランジャの変位量（ストローク）を小さくすることができることでソレノイドへの給電量（消費電力）を小さく抑えることができると共に、ロック作動中のソレノイドへの給電時間はカードのデータ処理時間だけなので給電時間も短くすることができ、ロック作動中の給電量（消費電力）も小さく抑えることができる。
【００１７】
更に、給電量（消費電力）の低減によって、データ処理を担う低電圧の通信系とロック作動を担う高電圧の電力系とが不可欠であった制御回路において、駆動電圧を低電圧に一元化することが可能となり、制御回路の部品削減や簡素化により装置の低コスト化、軽量化も可能となる。
【００１８】
本発明によれば、ＩＣカードリーダライタであって、少なくともＩＣカードのＩＣチップと電気的に接触するコンタクトユニットと、ＩＣカード排出方向に付勢したばねと、ＩＣカード挿入検出センサと、ソレノイドと、前記ソレノイドに係動するプランジャと、前記プランジャに係動するスライドリンクと、前記スライドリンクに係動する回転リンクと、前記回転リンクに係動するロックフックと、前記ソレノイドへの給電や前記ＩＣカードのデータ処理を制御する制御回路とを備え、前記ＩＣカードが挿入されると、前記コンタクトユニットと前記スライドリンクがカード挿入方向に移動し、前記スライドリンクに係動する前記回転リンクが回転し、前記回転リンクの動きを前記ＩＣカード挿入検出センサが感知して前記制御回路により前記ソレノイドに給電を開始し、前記ソレノイドが前記プランジャを吸引することで、前記スライドリンクと前記回転リンクと前記ロックフックとが互いに係動して前記ロックフックが前記ＩＣカードの端部を係止する第１のロック系統と、前記回転リンクの回転に伴って前記コンタクトユニットを係止する第２のロック系統によって前記ＩＣカードが排出されないようにロックすることを特徴とするＩＣカードリーダライタが得られる。
【００１９】
本発明によれば、前記ソレノイドへの給電は、前記ＩＣカード挿入検出センサが前記回転リンクの動きを感知した時点から前記ＩＣカードのデータ処理が終了した時点まで行われることを特徴とするＩＣカードリーダライタが得られる。
【００２０】
本発明によれば、前記回転リンクは、第１の枝部、第２の枝部、第３の枝部を有し、前記第１の枝部の動きを前記ＩＣカード挿入検出センサが感知し、前記第２の枝部の動きが前記スライドリンクと前記ロックフックにそれぞれ係動して前記第１のロック系統として作用し、前記第３の枝部の動きが前記コンタクトユニットに係動して前記第２のロック系統として作用することを特徴とするＩＣカードリーダライタが得られる。
【発明の効果】
【００２１】
以上本発明により、カードを手動で挿入し、データ処理の行っている時間だけ、ソレノイドに給電してカードをロックする構造とすることで、情報処理装置に電源が投入されていない状態や停電時では、ソレノイドへの給電が行われないため、プランジャは開放されロック機能が作用せず、カード排出方向に付勢したばねの弾性力によって、カードは自動的に排出される。同様に、カードのデータ処理中に何らかの原因でカードリーダライタへの通電が断たれた場合でも、ソレノイドへの給電が断たれプランジャが開放されてロックが解除されるので、上記付勢ばねの弾性力によりカードは自動的に排出される。
【００２２】
また、ロックする際は、ロックフックがカードの端部に引っ掛かる直前、すなわちロックする直前の位置までは手動、即ち機械的動作で行い、その位置に来た時に挿入検出センサでカード挿入が完了したことを感知し、ソレノイドへ給電を開始しロックフックを移動させ、カードを完全に係止しロックする。その際のロックフックの移動量はカード厚より少し厚い２ｍｍ程度の微少量でよいため、ソレノイドのプランジャの変位量（ストローク）も非常に短くできるので、ソレノイドへの給電量を大幅に低減できる。
【００２３】
その結果、従来ではデータ処理時の通信系電圧例えば５Ｖ系と、ロック機構の駆動系電圧例えば１２Ｖ系の異なった駆動電圧系統を備えなければならず、回路構成や素子が複雑化していたのに対し、本発明では、ロック機構の省電力化によってデータ通信時と同一の、例えば５Ｖ系の低電圧に一元化してロック機構も駆動可能となり、回路構成の簡素化と回路部品の削減、低コスト化も図ることができる。
【発明を実施するための最良の形態】
【００２４】
本発明による実施の形態について図面を用いて説明する。なお、以下に示す各図は、本発明によるカードロック機構の動作に直接関わる部品や部位のみを簡易的、透過的、模式的に示したもので、それらの間接的な、または補助的な部分等については省略している。  
【００２５】
図１は本発明のＩＣカードリーダライタのロック機構を説明する図で、図１（ａ）は平面図を、図１（ｂ）は側面図をそれぞれ示し、カードを手動で仮挿入した状態を示す。
【００２６】
図２は本発明のＩＣカードリーダライタのロック機構を説明する図で、図２（ａ）は平面図を、図２（ｂ）は側面図をそれぞれ示し、カードを手動で更に押し込み、挿入が完了して、カードのＩＣチップとコンタクトユニットとが接触した直後の状態を示す。
【００２７】
図３は本発明のＩＣカードリーダライタのロック機構を説明する図で、図３（ａ）は平面図を、図３（ｂ）は側面図をそれぞれ示し、挿入検出センサが感知しソレノイドへの給電が開始され、カードがロックされた状態を示す。
【００２８】
図４は本発明のＩＣカードリーダライタのロック機構を説明する図で、図４（ａ）は平面図を、図４（ｂ）は側面図をそれぞれ示し、カードのデータ処理が終了し、ソレノイドへの給電が停止して、カードのロックが解除された状態を示す。
【００２９】
図１（ａ）、図１（ｂ）は、カード１３をフレーム１１のカード移動方向と平行な内壁に形成したガイド溝１２に沿って、手動で仮挿入した状態で、カード１３がフレーム１１内に収納された状態である。ＩＣカードリーダライタのロック機構は、カード１３の図示しないＩＣチップに電気的に接触してデータ処理を行う制御回路基板を備えたコンタクトユニット１と、ソレノイド２と、プランジャ３と、前記プランジャ３の外周に挿設し付勢したばね４と、回転リンク５と、スライドリンク６と、カードをロックするロックフック７とから構成されており、前記コンタクトユニット１はカード排出方向Ｂに付勢したばね８とばね９により、また前記回転リンク５は前記スライドリンク６と係合し、回転軸５ｅを中心に時計方向に付勢したばね１０により係止している。更に、ロックフック７は前記回転リンク５の第２の枝部５ａと係合している。
【００３０】
図２（ａ）、図２（ｂ）は、前述したカード１３の収納状態から、更にカード１３を前記付勢したばね４、８、９、１０に抗して手動で押し込み、挿入した状態である。カード前方端部１３ａがコンタクトユニット１の当圧部１ｃを押し、前記コンタクトユニット１は支持穴１ｂによって斜め下方向に移動しながらカード１３の図示しないＩＣチップの電極面に接触する。また、前記コンタクトユニット１の移動と同時に、カード前方端部１３ａはスライドリンク６の下方に垂直に形成した当圧部６ｃを押し、スライドリンク６を支持穴６ｂに沿ってカード挿入方向Ａに移動することで回転リンク５は前記付勢したばね１０により回転軸５ｅを中心に時計方向に回転し、回転リンク５に設置した第２の枝部５ａがカード挿入方向Ａに移動することで、前記第２の枝部５ａと係合したロックフック７は回転軸７ｃを中心に支持穴７ｂにより下方に移動するので、先端部７ａの位置はカード後方端部１３ｂに引っ掛かる直前状態、またはソレノイド２への給電開始する直前状態となる。なお、カード前方端部とは、カードの挿入方向の端部を示し、カード後方端部とはカードの挿入方向と反対側の端部を示す。
【００３１】
図３（ａ）、図３（ｂ）に示すように、カード１３の挿入が完了すると、回転リンク５の第１の枝部５ｄがフレーム１１に設置された図示しない挿入検出センサの走査線Ｘを横切ることでカード挿入完了を感知し、制御回路によりソレノイド２への給電が開始され、プランジャ３はカード挿入方向ＡにストロークＤだけ吸引される。これと同時に前記プランジャ３とピン６ａで連結したスライドリンク６も、前記吸引したストロークＤだけ更にカード挿入方向Ａに移動することで、ばね１０の弾性力により回転リンク５が回転軸５ｅを中心に時計方向に更に回転し、該回転リンク５に設置された第２の枝部５ａが更にカード挿入方向Ａに移動し、第２の枝部５ａと係合したロックフック７は回転軸７ｃと支持穴７ｂにより更に下方に移動して、先端部７ａによりカード後方端部１３ｂが完全に覆われてカード１３をロックする（第１のロック系統）。同時に、前記回転リンク５の第３の枝部５ｃは回転軸５ｅを中心に時計方向に回転するのでコンタクトユニット１に設置されたピン１ａに係止し、コンタクトユニット１をカード排出方向Ｂへ移動できないようにストッパーとして機械的にロックする（第２のロック系統）。この状態で、カード１３のデータ処理が行われる。なお、前記プランジャ３の吸引力は、前記回転リンク５を回転軸５ｅを中心に時計方向に回転させる力であるため、カード１３を排出するために前記コンタクトユニット１に付勢したばね８、ばね９の付勢力には関わらないので、それほど大きな吸引力、すなわち給電量を必要としない。
【００３２】
図４（ａ）、図４（ｂ）に示すように、カード１３のデータ処理が終了すると、終了信号によりソレノイド２への給電を停止し、ソレノイド２のプランジャ３が開放されてプランジャ３を覆って付勢したばね４の弾性力によりスライドリンク６がカード排出方向Ｂに移動し、回転リンク５を回転軸５ｅを中心に反時計方向に回転するように押すので、該回転リンク５に設置された第２の枝部５ａがカード排出方向Ｂに移動し、回転リンク５に係合したロックフック７は回転軸７ｃと支持穴７ｂにより上方に移動して、先端部７ａはカード後方端部１３ｂから外れてカード１３のロックを解除する（第１のロック系統の解除）。同時に前記回転リンク５の第３の枝部５ｃも回転軸５ｅを中心に反時計方向に回転するのでコンタクトユニット１に設置されたピン１ａから外れる（第２のロック系統の解除）。従って、コンタクトユニット１は付勢したばね８、９の弾性力によりカード排出方向Ｂに移動し、カード１３の図示しないＩＣチップと離れて、前述した図１（ａ）、図１（ｂ）と同じ初期状態に戻る。
【００３３】
このように構成することで、カードの挿入と排出は手動と付勢ばねを用いた、いわゆる簡易的な機械的機構とし、カードのデータ処理を行っている通信中だけソレノイドに通電して電気的にカードをロックする機構としている。ロック機構が作動する直前までは、手動によって付勢ばねに抗してカードを挿入し、同時にロックフックも上記機械的動作機構により挿入されたカードのカード後方端部を引っ掛ける、すなわちロックする直前の位置となる。
【００３４】
また、ロックを始動する際は、ロックフックの上下方向の可動量はカード厚より少し大きい程度の動作量でよいので、ソレノイドに連動するプランジャのストロークも例えば約１ｍｍ以下程度の微少量で制御可能となり、小さいストローク時の大きな吸引力を効率的に利用できる。その結果、ソレノイドの小型化、更にはＩＣカードリーダライタの薄型化も可能となる。同時に、カード抜き取りが絶対に許されない最短時間である、カードのデータ処理中の間だけソレノイドに給電するので、ロック機構の制御に関わる給電量、すなわち消費電力も最小限に抑えられ、省電力化が可能となる。
【００３５】
上記、回転リンク５、スライドリンク６、ロックフック７、付勢したばね４、８、９、１０の各々は、円滑動作が可能となるよう、材質はステンレスやアルミ等の軽量材を用いるのが好ましく、また、各々の形状、長さ、角度、厚さは相互の係合動作を考慮しながら適宜設計するのが好ましい。
【００３６】
また、ソレノイド２の吸引力と、付勢した各々のばね４、８、９、１０の弾性力との相対強度は、ばね１０＞ソレノイド２＞（ばね８、ばね９）＞ばね４  とするのが好ましく、また各々の絶対強度は、適宜調整して決定するのが好ましい。
【００３７】
また、コンタクトユニット１に形成した支持穴１ｂ、回転リンク５に形成した支持穴５ｂ、スライドリンク６に形成した支持穴６ｂ、ロックフック７に形成した支持穴７ｂは、長円形、曲り長円形としているが各部位間の相互の係合動作に応じて適宜形状を調整するのが好ましい。
【実施例】
【００３８】
以下、実施例を用いて詳述する。
【００３９】
コンタクトユニット１として、図１に示した様な、長さ３５ｍｍ、幅２０ｍｍ、高さ８ｍｍで、制御回路基板を含むユニットを準備した。
【００４０】
ソレノイド２として、外形１０ｍｍ×１２ｍｍ×２０ｍｍ角、吸引力２５０ｇｆのものを使用し、プランジャ３は、外径３ｍｍ、長さ１５ｍｍの鉄材とした。
【００４１】
回転リンク５として、図１に示した様な３つの枝部を有する形状で長さ５０ｍｍ、幅３５ｍｍ、厚さ０．３ｍｍのステンレスＳＵＳ３０４材を用いた。
【００４２】
スライドリンク６として、図１に示した様な長さ６０ｍｍ、幅２０ｍｍ、厚さ０．３ｍｍのステンレスＳＵＳ３０４材を用い、また長円形状で幅２ｍｍの支持穴６ｂを形成した。
【００４３】
ロックフック７として、図１に示した様な略Ｌ字形状で長さ５０ｍｍ、幅７ｍｍ、厚さ０．３ｍｍのステンレスＳＵＳ３０４材を用い、また略へ字形状で幅１．５ｍｍの支持穴７ｂを形成した。
【００４４】
付勢したばね４、８、９、１０として、全て材質ステンレスＳＵＳ３０４材で、
ばね４は、弾性力２５ｇｆ、外径５．５ｍｍφ、長さ５ｍｍ、
ばね８は、弾性力５０ｇ、外径２ｍｍφ、長さ２０ｍｍ、
ばね９は、弾性力５０ｇ、外径２ｍｍφ、長さ２０ｍｍ、
ばね１０は、弾性力４００ｇ、外径３ｍｍφ、長さ２５ｍｍ、
のものを使用した。
【００４５】
フレーム１１として、外形８０ｍｍ×６０ｍｍ、厚さ１０ｍｍのＡＢＳ材を用いた樹脂成形体を用い、両側の内壁に幅１ｍｍ、深さ２ｍｍのカード移動用のガイド溝１２を形成した。
【００４６】
上記の構成により、図１に示した本発明のロック機構を備えたＩＣカードリーダライタを得た。また、比較例として、上述した本発明の実施例と同様の材料、形状を用いて、図５に示した従来のＩＣカードリーダライタを用意した。
【００４７】
上記の要領で作製した、本発明によるＩＣカードリーダライタおよび比較例について、ソレノイドのストロークと、カードロック状態でのソレノイドへの給電量と、ソレノイドの外形寸法をそれぞれ測定し、比較結果を表１に示す。なお、給電量は、電圧（Ｖ）×電流（Ａ）×通電時間（秒）の積（Ｗ・ｈ）で算出した値とし、ｎ＝１０（回）の平均値とした。
【００４８】
【表１】
2009176011.tif 000003
【００４９】
表１に示す通り、本発明によるＩＣカードリーダライタでは比較例のものと比べて、ソレノイドのストロークは約７０％、給電量は約５５％、更にソレノイドの外形寸法も体積比で約１／２にそれぞれ大幅に低減することができた。
【００５０】
以上、実施例を用いて、この発明の実施の形態を説明したが、この発明は、これらの実施例に限られるものではなく、この発明の要旨を逸脱しない範囲の設計変更があっても本発明に含まれる。すなわち、当業者であれば、当然なしえるであろう各種変形、修正もまた本発明に含まれる。
【産業上の利用可能性】
【００５１】
本発明のＩＣカードリーダライタにより、接触型、非接触型いずれのＩＣカードにおいても安価、高品質でかつ、小消費電力のカードロック機構を備えたＩＣカードリーダライタの提供が可能となり、既に実用化されているカーナビゲーションや道路交通情報サービス（ＶＩＣＳ）、自動料金収受システム（ＥＴＣ）等、今後益々サービス多様化が期待されている高度道路交通システム（ＩＴＳ）や、ＩＤカード、会員証、プリペイドカード、キャッシュカードなどを用いた個人情報管理等に好適なＩＣカードを用いた情報処理システムの構築と、通信技術、サービスの向上にも寄与できる。
【図面の簡単な説明】
【００５２】
【図１】本発明のＩＣカードリーダライタのロック機構を説明する図（カード仮挿入状態）、図１（ａ）は平面図、図１（ｂ）は側面図。
【図２】本発明のＩＣカードリーダライタのロック機構を説明する図（カードロック直前状態）、図２（ａ）は平面図、図２（ｂ）は側面図。
【図３】本発明のＩＣカードリーダライタのロック機構を説明する図（カードロック状態）、図３（ａ）は平面図、図３（ｂ）は側面図。
【図４】本発明のＩＣカードリーダライタのロック機構を説明する図（カードロック解除状態）、図４（ａ）は平面図、図４（ｂ）は側面図。
【図５】従来のＩＣカードリーダライタのロック機構を説明する斜視図。
【符号の説明】
【００５３】
１    コンタクトユニット
１ａ    ピン
１ｂ    支持穴
１ｃ    当圧部
２    ソレノイド
３    プランジャ
４、８、９、１０    ばね          
５    回転リンク
５ａ    第２の枝部
５ｂ    支持穴
５ｃ    第３の枝部
５ｄ    第１の枝部
５ｅ    回転軸
６    スライドリンク
６ａ  ピン
６ｂ  支持穴
６ｃ  当圧部
７    ロックフック
７ａ    先端部
７ｂ    支持穴
７ｃ    回転軸
１１    フレーム
１２    ガイド溝
１３    カード
１３ａ    カード前方端部
１３ｂ    カード後方端部
５１    ＩＣカードリーダライタ
５２    カード
５３    プッシュロッド
５４    ロックフック
５５    ソレノイド
５６    スプリング
５７    ロックレバー
Ａ    カード挿入方向
Ｂ    カード排出方向
Ｄ    ストローク
Ｘ    走査線
【図１】
2009176011.tif 000004
【図２】
2009176011.tif 000005
【図３】
2009176011.tif 000006
【図４】
2009176011.tif 000007
【図５】
2009176011.tif 000008